(57)【要約】【課題】現像が行われる領域における画像欠陥の発生を低減すること【解決手段】像保持体（ＰＲ）と第１の現像部材（２１）とが対向する位置に対応して第１の磁極（Ｓ２２）が配置された第１の磁石部材（２１ａ）を有する前記第１の現像部材（２１）と、第１の現像部材（２１）の下流側に配置された第２の現像部材（２２）であって、像保持体（ＰＲ）と第２の現像部材（２２）とが対向する位置に対応して第１の磁極（Ｓ２２）と同極性の第２の磁極（Ｓ１２）が配置された第２の磁石部材（２２ａ）を有する前記第２の現像部材（２２）と、を備え、像保持体（ＰＲ）の回転中心（ＰＲａ）と第１の回転体（２１ｂ）の回転中心（２１ｃ）とを結ぶ仮想線分（５１）に対して、像保持体（ＰＲ）の回転方向の下流側にずれた位置に第１の磁極（Ｓ２２）が配置されることを特徴とする現像装置（Ｇ）。【選択図】図５
2014160151.tif 000002
【特許請求の範囲】
【請求項１】
回転する像保持体に対向して配置された第１の現像部材であって、磁性を有する現像剤を吸着する磁力を発生させ且つ前記像保持体と前記第１の現像部材とが対向する位置に対応して第１の磁極が配置された第１の磁石部材と、前記第１の磁石部材を囲んで回転可能に支持され且つ表面に現像剤を保持して回転する第１の回転体と、を有する前記第１の現像部材と、
前記像保持体の回転方向に対して前記第１の現像部材の下流側に配置された第２の現像部材であって、現像剤を吸着する磁力を発生させ且つ前記像保持体と前記第２の現像部材とが対向する位置に対応して前記第１の磁極と同極性の第２の磁極が配置された第２の磁石部材と、前記第２の磁石部材を囲んで回転可能に支持され且つ表面に現像剤を保持して回転する第２の回転体と、を有する前記第２の現像部材と、
を備え、
前記像保持体の回転中心と前記第１の回転体の回転中心とを結ぶ仮想線分に対して、前記像保持体の回転方向の下流側にずれた位置に前記第１の磁極が配置されると共に、
前記第１の現像部材および前記第２の現像部材の現像剤で前記像保持体の表面に形成された潜像を可視像に現像する
ことを特徴とする現像装置。
【請求項２】
前記像保持体と対向する領域において、前記像保持体の回転方向に対して逆方向に回転する前記第１の回転体、
を備えたことを特徴とする請求項１に記載の現像装置。
【請求項３】
前記第１の磁極の位置における現像剤の層の厚さが前記像保持体と前記第１の回転体との間隔以下となるように前記像保持体の回転方向の下流側にずれた位置に配置された前記第１の磁極、
を備えたことを特徴とする請求項１または２に記載の現像装置。
【請求項４】
前記第２の現像部材の重力方向上側に配置された前記第１の現像部材、
を備えたことを特徴とする請求項１ないし３のいずれかに記載の現像装置。
【請求項５】
回転する像保持体と、
前記像保持体の表面に潜像を形成する潜像の形成装置と、
前記像保持体の表面の潜像を可視像に現像する請求項１ないし４のいずれかに記載の現像装置と、
前記像保持体の表面の可視像を媒体に転写する転写装置と、
前記媒体に転写された可視像を定着する定着装置と、
を備えたことを特徴とする画像形成装置。
【発明の詳細な説明】
【技術分野】
【０００１】
本発明は、現像装置および画像形成装置に関する。
【背景技術】
【０００２】
従来の画像形成装置の分野において、潜像を可視像に現像する現像装置に関し、以下の特許文献１〜３記載の技術が従来公知である。
特許文献１としての特開２００７−２４０６１９号公報には、感光体ドラム（１）の現像領域における表面移動方向に沿って回転可能な第１現像剤担持体（３ａ）および第２現像剤担持体（３ｂ）が、感光体ドラム（１）の回転方向に沿って順に対向して配置された構成が記載されている。
特許文献１に記載の第１現像剤担持体（３ａ）には、感光体ドラム（１）の回転方向に対して上流側にずれた位置に、現像極（Ｓ１）が配置されており、第２現像剤担持体（３ｂ）には、感光体ドラム（１）に対する最近接位置に、現像極（Ｓ１）と同極性の現像極（Ｓ１）が配置されている。
【０００３】
特許文献２としての特開２０１２−０５３１７７号公報には、感光体（ＰＲ）の回転方向に対して、上流側から順に第２現像剤担持体（Ｇｂ）と第１現像剤担持体（Ｇａ）が配置された現像装置（Ｇ）が記載されている。
特許文献２では、第２現像剤担持体（Ｇｂ）の表面は、感光体（ＰＲ）との対向領域である第２の現像領域（Ｑ２ｂ）において、感光体（ＰＲ）の表面の移動方向とは逆方向に移動するように回転方向が設定されている。また、特許文献２では、第２現像剤担持体（Ｇｂ）の表面は、感光体（ＰＲ）との対向領域である第２の現像領域（Ｑ２ｂ）に対応して、第２の現像磁極（Ｓ５）が配置されている。
さらに、特許文献２では、第２現像剤担持体（Ｇｂ）の第２の現像磁極（Ｓ５）と、第１の現像領域（Ｑ２ａ）に対応して配置された第１現像剤担持体（Ｇａ）の第１の現像磁極（Ｎ４）とが逆極性に設定されている。
【０００４】
特許文献３としての特開２００７−４７６３９号公報には、感光体（１０１）の表面の回転方向の上流側から順に、逆回転現像ロール（１）、順回転現像ロール（２）、順回転現像ロール（３）が配置された現像装置（１０２）が記載されている。
特許文献３に記載の逆回転現像ロール（１）には、感光体（１０１）との最近接位置に、磁極（Ｓ２）が配置されており、順回転現像ロール（２）には、感光体（１０１）との最近接位置に、磁極（Ｓ２）と同極性の磁極（Ｓ３）が配置されている。
【先行技術文献】
【特許文献】
【０００５】
【特許文献１】特開２００７−２４０６１９号公報（「００５１」、「０１１４」〜「０１２９」、「０１３６」、図３、図８、図１３）
【特許文献２】特開２０１２−０５３１７７号公報（「００３９」、「００４１」、「００４４」、「００４５」、図３、）
【特許文献３】特開２００７−４７６３９号公報（「００３２」、「００３７」、「００４９」、図２、図４、図７）
【発明の概要】
【発明が解決しようとする課題】
【０００６】
本発明は、現像が行われる領域における画像欠陥の発生を低減することを技術的課題とする。
【課題を解決するための手段】
【０００７】
前記技術的課題を解決するために、請求項１に記載の発明の現像装置は、
回転する像保持体に対向して配置された第１の現像部材であって、磁性を有する現像剤を吸着する磁力を発生させ且つ前記像保持体と前記第１の現像部材とが対向する位置に対応して第１の磁極が配置された第１の磁石部材と、前記第１の磁石部材を囲んで回転可能に支持され且つ表面に現像剤を保持して回転する第１の回転体と、を有する前記第１の現像部材と、
前記像保持体の回転方向に対して前記第１の現像部材の下流側に配置された第２の現像部材であって、現像剤を吸着する磁力を発生させ且つ前記像保持体と前記第２の現像部材とが対向する位置に対応して前記第１の磁極と同極性の第２の磁極が配置された第２の磁石部材と、前記第２の磁石部材を囲んで回転可能に支持され且つ表面に現像剤を保持して回転する第２の回転体と、を有する前記第２の現像部材と、
を備え、
前記像保持体の回転中心と前記第１の回転体の回転中心とを結ぶ仮想線分に対して、前記像保持体の回転方向の下流側にずれた位置に前記第１の磁極が配置されると共に、
前記第１の現像部材および前記第２の現像部材の現像剤で前記像保持体の表面に形成された潜像を可視像に現像する
ことを特徴とする。
【０００８】
請求項２に記載の発明は、請求項１に記載の現像装置において、
前記像保持体と対向する領域において、前記像保持体の回転方向に対して逆方向に回転する前記第１の回転体、
を備えたことを特徴とする。
【０００９】
請求項３に記載の発明は、請求項１または２に記載の現像装置において、
前記第１の磁極の位置における現像剤の層の厚さが前記像保持体と前記第１の回転体との間隔以下となるように前記像保持体の回転方向の下流側にずれた位置に配置された前記第１の磁極、
を備えたことを特徴とする。
【００１０】
請求項４に記載の発明は、請求項１ないし３のいずれかに記載の現像装置において、
前記第２の現像部材の重力方向上側に配置された前記第１の現像部材、
を備えたことを特徴とする。
【００１１】
前記技術的課題を解決するために、請求項５に記載の発明の画像形成装置は、
回転する像保持体と、
前記像保持体の表面に潜像を形成する潜像の形成装置と、
前記像保持体の表面の潜像を可視像に現像する請求項１ないし４のいずれかに記載の現像装置と、
前記像保持体の表面の可視像を媒体に転写する転写装置と、
前記媒体に転写された可視像を定着する定着装置と、
を備えたことを特徴とする。
【発明の効果】
【００１２】
請求項１、５に記載の発明によれば、本発明の構成を有しない場合に比べて、現像が行われる領域における画像欠陥の発生を低減することができる。
請求項２に記載の発明によれば、像保持体と第１の回転体との相対速度が大きな領域で、現像を安定させることができる。
請求項３に記載の発明によれば、本発明の構成を有しない場合に比べて、現像が可能な領域を広げることができる。
請求項４に記載の発明によれば、本発明の構成を有しない場合に比べて、第１の現像部材から第２の現像部材への現像剤の落下を低減することができる。
【図面の簡単な説明】
【００１３】
【図１】図１は本発明の実施例１の画像形成装置の説明図である。
【図２】図２は実施例１の現像装置の要部断面説明図である。
【図３】図３は実施例１の現像装置の説明図であり、図２のＩＩＩ−ＩＩＩ線断面図である。
【図４】図４は、現像剤が受け渡される領域における磁界の説明図であり、図４Ａは従来の構成における磁界の説明図、図４Ｂは実施例１の構成における磁界の説明図である。
【図５】図５は、第１の現像部材、第２の現像部材および像保持体の間の磁界の説明図であり、図５Ａは実施例１の構成における磁界の説明図、図５Ｂは従来の構成における磁界の説明図である。
【発明を実施するための形態】
【００１４】
次に図面を参照しながら、本発明の実施の形態の具体例としての実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１５】
図１は本発明の実施例１の画像形成装置の説明図である。
図１において、実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵ０が支持されている。前記ユーザインタフェースＵ０は、操作者が入力をして、複写機Ｕの操作が可能である。
【００１６】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧとの間には、原稿の搬送路Ｕ３ａに沿って、原稿の搬送ロールＵ３ｂが配置されている。
【００１７】
スキャナ部Ｕ２の上面には、透明な原稿台の一例としてのプラテンガラスＰＧが配置されている。実施例１のスキャナ部Ｕ２には、プラテンガラスＰＧの下方に、読取り用の光学系Ａが配置されている。実施例１の読取り用の光学系Ａは、プラテンガラスＰＧの下面に沿って、左右方向に移動可能に支持されている。なお、読取り用の光学系Ａは、通常時は、図１に示す初期位置に停止している。
読取り用の光学系Ａの左方には、撮像部材の一例としての撮像素子ＣＣＤが配置されている。撮像素子ＣＣＤには、画像処理部ＧＳが電気的に接続されている。
画像処理部ＧＳは、プリンタ部Ｕ１の書込回路ＤＬに電気的に接続されている。書込回路ＤＬは、潜像の形成装置の一例としての露光機ＲＯＳに電気的に接続されている。
【００１８】
露光機ＲＯＳの下方には、像保持体の一例としての感光体ドラムＰＲが配置されている。感光体ドラムＰＲは、矢印Ｙａ方向に回転する。
感光体ドラムＰＲには、帯電領域Ｑ０において、帯電器の一例としての帯電ロールＣＲが対向して配置されている。前記帯電ロールＣＲには、電源回路Ｅから帯電電圧が印加される。なお、電源回路Ｅは、制御部の一例としてのコントローラＣにより制御される。前記コントローラＣは、画像処理部ＧＳや書込回路ＤＬ等との間でも信号の送受信を行って、各種制御を行う。
感光体ドラムＰＲの回転方向に対して、帯電領域Ｑ０の下流側に設定された書込領域Ｑ１において、感光体ドラムＰＲの表面に、露光機ＲＯＳから、書込光の一例としてのレーザビームＬが照射される。
感光体ドラムＰＲの回転方向に対して、書込領域Ｑ１の下流側に設定された現像領域Ｑ２には、現像装置Ｇが感光体ドラムＰＲの表面に対向して配置されている。
感光体ドラムＰＲの回転方向に対して、現像領域Ｑ２の下流側には、転写領域Ｑ３が設定されている。
【００１９】
プリンタ部Ｕ１の下部には、媒体の収容容器の一例としての給紙トレイＴＲ１〜ＴＲ４が着脱可能に支持されている。給紙トレイＴＲ１〜ＴＲ４には、媒体の一例としてのシートＳが収容されている。
給紙トレイＴＲ１〜ＴＲ４の左上方には、媒体の取出部材の一例としてのピックアップロールＲｐが配置されている。ピックアップロールＲｐの左方には、捌き部材の一例としてのさばきロールＲｓが配置されている。
各給紙トレイＴＲ１〜ＴＲ４の左方には、上方に延びる媒体の搬送路ＳＨ１が形成されている。搬送路ＳＨ１には、媒体の搬送部材の一例としての搬送ロールＲａが複数配置されている。搬送路ＳＨ１には、シートＳの搬送方向の下流部であり且つ転写領域Ｑ３の上流側に、送出部材の一例としてのレジロールＲｒが配置されている。
【００２０】
前記転写領域Ｑ３には、感光体ドラムＰＲの下方に、転写装置の一例であって、媒体の搬送装置の一例としての転写ユニットＴＵが配置されている。転写ユニットＴＵは、媒体の搬送部材の一例として、無端状の転写ベルトＴＢを有する。
転写ベルトＴＢは、駆動部材の一例としての駆動ロールＲｄと、従動部材の一例としての従動ロールＲｆとにより回転可能に支持されている。
転写ベルトＴＢの内側には、転写器の一例としての転写ロールＴＲが支持されている。前記転写ロールＴＲは、転写ベルトＴＢを挟んで感光体ドラムＰＲに対向して配置されている。したがって、転写ロールＴＲと感光体ドラムＰＲとが対向する領域により、転写領域Ｑ３が構成されている。前記転写ロールＴＲには、電源回路Ｅから転写電圧が印加される。
【００２１】
転写ベルトＴＢの右端部には、媒体の剥離部材の一例としての剥離爪ＳＣが配置されている。剥離爪ＳＣの下方には、転写装置の清掃器の一例としてのベルトクリーナＣＬｂが、転写ベルトＴＢの表面に対向して配置されている。
なお、感光体ドラムＰＲの回転方向に対して、転写領域Ｑ３の下流側には、像保持体の清掃器の一例としてのドラムクリーナＣＬｐが、感光体ドラムＰＲの表面に対向して配置されている。
【００２２】
転写ユニットＴＵの右方には、定着装置Ｆが配置されている。定着装置Ｆは、加熱用の回転部材の一例としての加熱ロールＦｈと、加圧用の回転部材の一例としての加圧ロールＦｐと、を有する。
定着装置Ｆの右方には、媒体の搬送路の一例として、上方に延びる排出路ＳＨ２が接続されている。
排出路ＳＨ２には、媒体の搬送部材の一例として、媒体を搬送可能且つ正逆回転可能な搬送ロールＲｂや排出ロールＲｈが配置されている。
プリンタ部Ｕ１の上面には、媒体の排出部の一例としての排紙トレイＴＲｈが形成されている。
【００２３】
排出路ＳＨ２の下方には、媒体の搬送路の一例としての反転路ＳＨ３が形成されている。実施例１の反転路ＳＨ３は、排出路ＳＨ２から分岐して下方に延び、レジロールＲｒよりもシートの搬送方向の上流側で搬送路ＳＨ１に合流している。
排出路ＳＨ２と反転路ＳＨ３との分岐部には、搬送方向の切替部材の一例としてのゲートＭＧが配置されている。実施例１のゲートＭＧは、弾性変形可能な薄膜形状、いわゆるフィルムにより構成されている。定着装置Ｆから搬送されるシートＳがゲートＭＧを通過する場合は、シートＳにゲートＭＧが押されて弾性変形して、シートＳが排出路ＳＨ２に通過可能となるように配置されている。そして、シートＳが排出路ＳＨ２から反転路ＳＨ３に搬送される場合、ゲートＭＧは、弾性復元した状態で保持され、シートＳが、定着装置Ｆの側に進入することを妨げ、反転路ＳＨ３の側にシートＳを案内するように配置されている。
【００２４】
（画像形成動作の説明）
前記原稿トレイＴＧ１に収容された複数の原稿Ｇｉは、プラテンガラスＰＧ上の原稿の読み取り位置を順次通過して、原稿排紙トレイＴＧ２に排出される。
前記オートフィーダＵ３を使用して自動的に原稿を搬送して複写を行う場合は、読取り用の光学系Ａは初期位置に停止した状態で、プラテンガラスＰＧ上の読み取り位置を順次通過する各原稿Ｇｉを露光する。
原稿Ｇｉを作業者が手でプラテンガラスＰＧ上に置いて複写を行う場合、読取り用の光学系Ａが左右方向に移動して、プラテンガラスＰＧ上の原稿が、露光されながら走査される。
原稿Ｇｉからの反射光は、光学系Ａを通って、撮像素子ＣＣＤに集光される。前記撮像素子ＣＣＤは、撮像面上に集光された原稿の反射光を電気信号に変換する。
【００２５】
画像処理部ＧＳは、撮像素子ＣＣＤから入力された読取信号を、デジタルの画像信号に変換して、プリンタ部Ｕ１の書込回路ＤＬに出力する。前記書込回路ＤＬは、入力された画像書込信号に応じた制御信号を、露光機ＲＯＳに出力する。
前記感光体ドラムＰＲの表面は、帯電領域Ｑ０において帯電ロールＣＲによりに帯電される。潜像書込位置Ｑ１において、露光機ＲＯＳから出力されたレーザビームＬは、感光体ドラムＰＲの表面に静電潜像を形成する。現像領域Ｑ２において、現像装置Ｇは、現像領域Ｑ２を通過する感光体ドラムＰＲの静電潜像を、可視像の一例としてのトナー像に現像する。現像装置Ｇで現像剤が消費されると、消費量に応じて、図示しない現像剤の容器から現像装置Ｇに現像剤が補給される。
【００２６】
前記各トレイＴＲ１〜ＴＲ４のシートＳは、予め設定された給紙時期にピックアップロールＲｐにより取り出される。ピックアップロールＲｐで取り出されたシートＳは、複数枚のシートＳが重なった状態で取り出された場合には、さばきロールＲｓで１枚づつ分離される。さばきロールＲｓを通過したシートＳは、複数の搬送ロールＲａにより、レジロールＲｒに搬送される。
【００２７】
前記レジロールＲｒに搬送されたシートＳは、感光体ドラムＰＲの表面のトナー像が転写領域Ｑ３に移動する時期に合わせて、転写前の案内部材の一例としての転写前のシートガイドＳＧ１から転写領域Ｑ３に向けて搬送される。
レジロールＲｒから搬送されたシートＳは、転写ベルトＴＢの表面に支持されて、転写領域Ｑ３を通過する。転写領域Ｑ３を通過するシートＳには、転写ロールＴＲに印加された転写電圧により、感光体ドラムＰＲ表面のトナー像が転写される。
転写領域Ｑ３を通過後の感光体ドラムＰＲ表面には、ドラムクリーナＣＬｐにより残留トナーが除去されて清掃される。清掃後の感光体ドラムＰＲの表面は、帯電ロールＣＲにより再帯電される。
【００２８】
トナー像が転写されたシートＳは、剥離爪ＳＣにより、転写ベルトＴＢから剥離される。シートＳが剥離された転写ベルトＴＢは、ベルトクリーナＣＬｂにより、転写ベルトＴＢの表面に付着した現像剤や紙粉等の付着物が除去される。転写ベルトＴＢから剥離されたシートＳは、加熱ロールＦｈと加圧ロールＦｐとの接触領域を通過する際に、トナー像が加熱および加圧されて定着される。
トナー像が定着された記録シートＳは、ゲートＭＧを弾性変形させながら通過して、排出路ＳＨ２に搬送される。排紙トレイＴＲｈに排出されるシートＳは、搬送ロールＲｂにより搬送されて、排出ロールＲｈにより、排紙トレイＴＲｈに排出される。
【００２９】
両面印刷が行われる場合には、片面が記録済のシートＳの後端が、ゲートＭＧを通過するまで、搬送ロールＲｂや排出ロールＲｈにより下流側に搬送される。シートＳの後端がゲートＭＧを通過すると、搬送ロールＲｂや排出ロールＲｈが逆回転をして、排出路ＳＨ２から反転路ＳＨ３に向けて搬送される。すなわち、シートＳは、搬送方向が逆転して、いわゆるスイッチバックされる。スイッチバックされたシートＳは、ゲートＭＧに案内されて反転路ＳＨ３を搬送される。反転路ＳＨ３を搬送されたシートＳは、搬送路ＳＨ１に合流し、表裏が反転した状態で、レジロールＲｒに搬送される。そして、転写領域Ｑ３において、シートＳの第２面に画像が印刷される。
【００３０】
（現像装置の説明）
図２は実施例１の現像装置の要部断面説明図である。
図３は実施例１の現像装置の説明図であり、図２のＩＩＩ−ＩＩＩ線断面図である。
図１、図２において、実施例１の現像装置Ｇは、容器１を有する。前記容器１には、現像剤が収容されている。なお、実施例１では、現像剤として、磁性粉体の一例としてのキャリアと、現像用の粉体の一例としてのトナーと、を含む現像剤、いわゆる２成分現像剤により構成されている。
容器１は、前後方向に延びる容器の本体１ａを有する。容器の本体１ａの前端部には、前方に延びる筒部１ｂが支持されている。また、容器の本体１ａの後端部には、後方に延びる筒部１ｃが支持されている。
【００３１】
容器の本体１ａおよび筒部１ｂの左部には、第１の収容室の一例としてのアドミクス室２が形成されている。前記アドミクス室２は、前後方向に延びている。アドミクス室２の前端部の上面には、補給部の一例としての補給口２ａが形成されている。補給口２ａには、図示しない現像剤の補給装置から現像剤が補給可能に構成されている。アドミクス室２の右側には、第２の収容室の一例としてのサプライ室３が形成されている。サプライ室３は、アドミクス室２と平行して、前後方向に延びている。アドミクス室２とサプライ室３との間には、仕切部の一例としての仕切壁４が形成されている。仕切壁４は、アドミクス室２およびサプライ室３よりも前後方向の長さが短く形成されている。したがって、アドミクス室２とサプライ室３とは、前端の第１の流入部６と、後端の第２の流入部７とで接続されている。よって、実施例１の容器１では、前記流入部６，７を通じて、アドミクス室２とサプライ室３との間で、現像剤が移動可能に構成されている。
前記アドミクス室２とサプライ室３とで、循環部の一例としての循環室２，３が構成されている。
【００３２】
前記サプライ室３の後方には、現像剤の排出部の一例としての排出室８が接続されている。前記排出室８の後端には、現像剤の排出口８ａが形成されている。現像剤の排出口８ａは、図示しない回収容器に接続されている。
前記容器の本体１ａの右上端部には、第１の現像部材の収容部の一例としての第１の現像室１１が形成されている。また、サプライ室３の右上方且つ第１の現像室１１の下方には、第２の現像部材の収容部の一例としての第２の現像室１２が形成されている。
前記アドミクス室２とサプライ室３の上方には、貯留部の一例としての貯留室１３が形成されている。実施例１の貯留室１３の底部は、サプライ室３の上部に接続されている。したがって、貯留室１３の現像剤はサプライ室３に流入可能に構成されている。
【００３３】
アドミクス室２には、第１の搬送部材の一例としてのアドミクスオーガ１６が配置されている。実施例１のアドミクスオーガ１６は、第１の軸部の一例としての第１の回転軸１６ａを有する。第１の回転軸１６ａの外周には、第１の搬送部の一例としての第１の搬送羽根１６ｂが支持されている。第１の搬送羽根１６ｂは、軸方向に対して螺旋状に形成されている。
サプライ室３には、第２の搬送部材の一例としてのサプライオーガ１７が配置されている。実施例１のサプライオーガ１７は、第２の軸部の一例としての第２の回転軸１７ａを有する。第２の回転軸１７ａの外周には、第２の搬送部の一例としての第２の搬送羽根１７ｂが支持されている。第２の搬送羽根１７ｂは、軸方向に対して螺旋状に形成されている。なお、実施例１の第２の回転軸１７ａは、排出室８の後端まで延びている。第２の回転軸１７ａには、排出室８に対応する範囲で、排出用の搬送部の一例としての排出羽根１７ｃが支持されている。
前記各オーガ１６，１７は、回転時に、互いに逆方向に現像剤を搬送するように、回転方向および搬送羽根１６ｂ，１７ｂの螺旋の方向が設定されている。
【００３４】
前記貯留室１３には、第３の搬送部材の一例としてのパドル１８が支持されている。パドル１８は、第３の軸部の一例としての第３の回転軸１８ａを有する。第３の回転軸１８ａには、第３の搬送部の一例としての第３の搬送羽根１８ｂが支持されている。実施例１の第３の搬送羽根１８ｂは、第３の回転軸１８ａから径方向に延びる板状に形成されている。
前記第１の現像室１１には、第１の現像部材の一例としての第１の現像ロール２１が支持されている。第１の現像ロール２１は、第１の磁石部材の一例としての第１の磁石ロール２１ａを有する。第１の磁石ロール２１ａは、容器１に固定支持されている。第１の磁石ロール２１ａの外周には、現像剤の保持体の一例であって、第１の回転体の一例としての第１の現像スリーブ２１ｂが配置されている。第１の現像スリーブ２１ｂは、中空の円筒状に形成されている。
【００３５】
第２の現像室１２には、第２の現像部材の一例としての第２の現像ロール２２が支持されている。第２の現像ロール２２は、第１の現像ロール２１と同様に構成されており、第２の磁石部材の一例としての第２の磁石ロール２２ａと、現像剤の保持体の一例であって、第２の回転体の一例としての第２の現像スリーブ２２ｂとを有する。
なお、実施例１では、感光体ドラムＰＲと各現像ロール２１，２２とは、予め設定された間隔を空けた状態で保持される。また、第１の現像ロール２１と感光体ドラムＰＲとが対向する領域により第１の現像領域Ｑ２ａが構成される。第２の現像ロール２２と感光体ドラムＰＲとが対向する領域により第２の現像領域Ｑ２ｂが構成される。
【００３６】
したがって、実施例１では、感光体ドラムＰＲの回転方向に対して、第２の現像領域Ｑ２ｂの上流側に第１の現像領域Ｑ２ａが配置されている。前記第１の現像領域Ｑ２ａと第２の現像領域Ｑ２ｂとにより、実施例１の現像領域Ｑ２が構成されている。
また、実施例１の第１の現像スリーブ２１ｂは、第１の現像領域Ｑ２ａにおいて、感光体ドラムＰＲの回転方向とは逆方向に回転する。また、実施例１の第２の現像スリーブ２２ｂは、第２の現像領域Ｑ２ｂにおいて、感光体ドラムＰＲの回転方向に沿った方向に回転する。したがって、実施例１では、感光体ドラムＰＲに対して、第１の現像スリーブ２１ｂがagainst方向に回転し、且つ、第２の現像スリーブ２２ｂがwith方向に回転する。
【００３７】
図２において、第２の現像スリーブ２２ｂの回転方向に対して、第２の現像領域Ｑ２ｂの上流側の位置に、層厚の規制部材の一例としてのトリマー３１が支持されている。実施例１では、第２の現像スリーブ２２ｂの表面に形成される現像剤の層の厚さに、第１の現像スリーブ２１ｂの表面に形成される現像剤の層の厚さを加えた厚さに応じて、トリマー３１が第２の現像スリーブ２２ｂに対して間隔を空けて配置されている。
第１の現像スリーブ２１ｂの回転方向に対して、第１の現像領域Ｑ２ａの下流側の位置に、現像剤の案内部材の一例としてのシュート３６が配置されている。実施例１のシュート３６は、第１の現像スリーブ２１ｂの表面に先端が近接して配置されている。シュート３６の基端部は、貯留室１３まで延びている。したがって、シュート３６は、第１の現像スリーブ２１ｂから剥離した現像剤を貯留室１３に案内する。
【００３８】
（磁極の説明）
図２において、第２の磁石ロール２２ａは、サプライオーガ１７に対応する位置に、吸着磁極の一例としてのピックアップ磁極Ｎ１１が配置されている。
第２の現像スリーブ２２ｂの回転方向に対して、ピックアップ磁極Ｎ１１の下流側には、層厚の規制磁極の一例としてのトリミング磁極Ｓ１１が配置されている。トリミング磁極Ｓ１１は、トリマー３１に対応して配置されている。トリミング磁極Ｓ１１は、ピックアップ磁極Ｎ１１とは逆極性の磁極により構成されている。
第２の現像スリーブ２２ｂの回転方向に対して、トリミング磁極Ｓ１１の下流側には、一方の対向磁極の一例としての受け渡し磁極Ｎ１２が配置されている。実施例１の受け渡し磁極Ｎ１２は、現像スリーブ２１ｂ，２２ｂの最近接位置４１に対応して配置されている。受け渡し磁極Ｎ１２は、トリミング磁極Ｓ１１とは逆極性の磁極により構成されている。
【００３９】
第２の現像スリーブ２２ｂの回転方向に対して、受け渡し磁極Ｎ１２の下流側には、第２の磁極の一例としての第２の現像磁極Ｓ１２が配置されている。第２の現像磁極Ｓ１２は、第２の現像領域Ｑ２ｂに対応して配置されている。第２の現像磁極Ｓ１２は、受け渡し磁極Ｎ１２とは逆極性の磁極により構成されている。
第２の現像スリーブ２２ｂの回転方向に対して、第２の現像磁極Ｓ１２の下流側には、剥離磁極の一例としてのピックオフ磁極Ｎ１３が配置されている。ピックオフ磁極Ｎ１３は、ピックアップ磁極Ｎ１１と同極性且つ第２の現像磁極Ｓ１２とは逆極性の磁極により構成されている。また、ピックオフ磁極Ｎ１３とピックアップ磁極Ｎ１１との間で磁力が極小になる位置が、サプライ室３に対応するように、ピックオフ磁極Ｎ１３が配置されている。
【００４０】
第１の現像ロール２１の磁石ロール２１ａには、最近接位置４１に対応して、他方の対向磁極の一例としての受け取り磁極Ｓ２１，Ｎ２１が配置されている。実施例１の受け取り磁極Ｓ２１，Ｎ２１は、互いに異なる極性の一対の磁極により構成されている。また、実施例１では、第１の現像スリーブ２１ｂの回転方向に対して、最近接位置４１を挟んで対称な位置に、各受け取り磁極Ｓ２１，Ｎ２１が配置されている。さらに、実施例１では、第１の現像スリーブ２１ｂの回転方向に対して、上流側に配置された第１の受け取り磁極Ｓ２１は、受け渡し磁極Ｎ１２とは逆極性の磁極により構成されている。したがって、第１の現像スリーブ２１ｂの回転方向に対して、下流側に配置された第２の受け取り磁極Ｎ２１は、受け渡し磁極Ｎ１２と同極性の磁極により構成されている。
【００４１】
第１の現像スリーブ２１ｂの回転方向に対して、第２の受け取り磁極Ｎ２１の下流側には、第１の磁極の一例としての第１の現像磁極Ｓ２２が配置されている。実施例１の第１の現像磁極Ｓ２２は、第２の受け取り磁極Ｎ２１とは逆極性の磁極により構成されている。よって、実施例１の第１の現像磁極Ｓ２２と第２の受け取り磁極Ｎ２１との間で第１の現像スリーブ２１ｂに現像剤を吸着させる磁界を発生させる。
また、実施例１の第１の現像磁極Ｓ２２は、第１の現像領域Ｑ２ａに対応した位置に配置されている。実施例１では、図２に示すように、第１の現像ロール２１の中心２１ｃと感光体ドラムＰＲの回転中心ＰＲａとを結ぶ、仮想線分５１に対して、第１の現像ロール２１の中心２１ｃを中心に、第１の現像スリーブ２１ｂの回転方向上流側に傾斜角度αずれた位置に、第１の現像磁極Ｓ２２が配置されている。すなわち、第１の現像ロール２１と感光体ドラムＰＲとの最近接位置に対して、第１の現像スリーブ２１ｂの回転方向の上流側に傾斜角度αずれた位置に、実施例１の第１の現像磁極Ｓ２２が配置されている。
【００４２】
第１の現像スリーブ２１ｂの回転方向に対して、第１の現像磁極Ｓ２２の下流側には、第１の搬送磁極Ｎ２２が配置されている。第１の搬送磁極Ｎ２２は、第１の現像磁極Ｓ２２と逆極性の磁極により構成されている。
第１の現像スリーブ２１ｂの回転方向に対して、第１の搬送磁極Ｎ２２の下流側には、第２の搬送磁極Ｓ２３が配置されている。第２の搬送磁極Ｓ２３は、第１の搬送磁極Ｎ２２と逆極性の磁極により構成されている。
【００４３】
第１の現像スリーブ２１ｂの回転方向に対して、第２の搬送磁極Ｓ２３の下流側には、第１のピックオフ磁極Ｎ２３が配置されている。また、第１の現像スリーブ２１ｂの回転方向に対して、第１のピックオフ磁極Ｎ２３の下流側には、第２のピックオフ磁極Ｎ２４が配置されている。実施例１では、各ピックオフ磁極Ｎ２３，Ｎ２４は、互いに同極性、且つ、第２の搬送磁極Ｓ２３とは逆極性の磁極により構成されている。
なお、実施例１では、第１のピックオフ磁極Ｎ２３と第２のピックオフ磁極Ｎ２４との間の磁力が極小になる位置が、シュート３６の先端に対応するように、各ピックオフ磁極Ｎ２３，Ｎ２４が配置されている。
【００４４】
（実施例１の作用）
前記構成を備えた実施例１の複写機Ｕでは、画像形成の動作が開始されると、現像装置Ｇの現像ロール２１，２２、オーガ１６，１７、パドル１８が回転を開始する。オーガ１６，１７の回転に伴って、アドミクス室２とサプライ室３に収容された現像剤が撹拌されながら、互いに逆方向に搬送される。各室２，３の下流部まで搬送された現像剤は、流入部６，７を通じて、他方の室２，３に流入する。したがって、アドミクス室２とサプライ室３との間で、現像剤が循環する。また、アドミクス室２からサプライ室３に流入する現像剤の一部は、現像剤の排出口８ａに搬送される。したがって、劣化した現像剤は、現像剤の排出口８ａから少しずつ排出される。
【００４５】
サプライ室３の現像剤は、ピックアップ磁極Ｎ１１の磁力で、第２の現像スリーブ２２ｂの表面に吸着される。トリミング磁極Ｓ１１は、現像剤を、トリマー３１に向けて起立した状態、いわゆる穂立ちした状態にする。トリマー３１は、穂立ちした現像剤に接触して、第２の現像スリーブ２２ｂの表面の現像剤の層の厚さを規制する。
トリマー３１を通過した現像剤は、第２の現像スリーブ２２ｂの回転に伴って、受け渡し磁極Ｎ１２および受け取り磁極Ｓ２１，Ｎ２１との間の領域に搬送される。
【００４６】
第２の現像スリーブ２２ｂの表面の現像剤は、受け渡し磁極Ｎ１２および第１の受け取り磁極Ｓ２１との間で発生する磁界の磁力を受けて、一部の現像剤が、第１の現像スリーブ２１ｂ側に移動する。このとき、第２の現像スリーブ２２ｂの現像剤の半分が、第１の現像スリーブ２１ｂの表面に移動し、且つ、残りの現像剤が第２の現像スリーブ２２ｂに残るように、各磁極Ｎ１２，Ｓ２１，Ｎ２１の磁力が設定されている。
【００４７】
感光体ドラムＰＲの回転に伴い、感光体ドラムＰＲの表面の潜像が第１の現像領域Ｑ２ａから第２の現像領域Ｑ２ｂと順次通過して、可視像に現像される。したがって、感光体ドラムＰＲの表面の潜像は、第１の現像スリーブ２１ｂに現像された後に、第２の現像スリーブ２２ｂに現像される。
よって、感光体ドラムＰＲの回転の高速化等に伴って、一度の現像では、現像不良が発生する恐れがある構成に比べて、実施例１の現像装置Ｇでは、２回の現像で現像不良の発生が低減されている。
【００４８】
第１の現像領域Ｑ２ａで消費されなかった現像剤は、第１の搬送磁極Ｎ２２の磁力を受けて第１の現像スリーブ２１ｂの表面に保持された状態で、下流側に搬送される。
現像剤は、シュート３６の位置で第１の現像スリーブ２１ｂから離脱する。第１の現像スリーブ２１ｂから離脱した現像剤は、シュート３６に沿って案内されて、貯留室１３に流入する。パドル１８は、貯留室１３に流入した現像剤をサプライ室３に戻す。
第２の現像領域Ｑ２ｂで消費されなかった現像剤は、第２の現像スリーブ２２ｂの表面に付着した状態で、ピックオフ磁極Ｎ１３とピックアップ磁極Ｎ１１との間の磁力が極小の位置で、第２の現像スリーブ２２ｂから離脱する。第２の現像スリーブ２２ｂから離脱した現像剤は、サプライ室３に戻される。サプライ室３に戻された現像剤は、サプライオーガ１７で撹拌されながら搬送される。サプライ室３の現像剤は、第２の現像ロール２２に吸着されて再使用されたり、アドミクス室２に搬送されて循環する。
【００４９】
図４は、現像剤が受け渡される領域における磁界の説明図であり、図４Ａは従来の構成における磁界の説明図、図４Ｂは実施例１の構成における磁界の説明図である。
図４Ａにおいて、従来の現像装置において、第２の現像ロール０１から第１の現像ロール０２に現像剤が受け渡される構成では、特許文献３に記載の構成のように、受け渡し磁極０３に対向して、受け渡し磁極０３とは逆極性の受け取り磁極０４が配置されている。また、受け渡し磁極０３と受け取り磁極０４との間の隙間に、トリマー０６が配置されている。この構成では、受け渡し磁極０３と受け取り磁極０４との間の磁界における磁力のバランスと、トリマー０６と各ロール０１，０２との隙間と、で現像剤が振り分けられる。したがって、トリマー０６の位置を通過できなかった現像剤は、受け渡し磁極０３と受け取り磁極０４との間の磁界に保持されて、受け渡し磁極０３と受け取り磁極０４との間の空間に滞留しやすい。受け渡し磁極０３と受け取り磁極０４との間の空間で現像剤が滞留すると、現像剤が負荷、ストレスを受けて、現像剤が劣化しやすくなる。また、トリマー０６で現像剤が規制される際にも、現像剤がストレスを受けて劣化しやすい。現像剤が劣化すると、流動性や帯電量が変動しやすくなったり、現像剤のトナー濃度が変動しやすくなる。そして、流動性等が変動すると、トリマー０６を通過する現像剤の量が変動する恐れがあり、現像不良に繋がる恐れがある。
また、トリマー０６を使用する構成では、現像ロール０１，０２とトリマー０６の間隔の製造誤差や組立誤差等や、磁極０３，０４の位置の精度で、現像剤の量が変動する恐れもある。
【００５０】
これに対して、実施例１の現像装置Ｇでは、図４Ｂに示すように、第２の現像ロール２２から第１の現像ロール２１に現像剤が受け渡される領域において、１つの受け渡し磁極Ｎ１２と、互いに異なる極性の２つの受け取り磁極Ｓ２１，Ｎ２１が配置されている。したがって、互いに逆極性の受け渡し磁極Ｎ１２と第１の受け取り磁極Ｓ２１との間に引きつけあう磁界４２が形成されると共に、互いに同極性の受け渡し磁極Ｎ１２と第２の受け取り磁極Ｎ２１との間には反発する磁界４３が形成される。よって、受け渡し磁極Ｎ１２と第１の受け取り磁極Ｓ２１との間では、現像剤の受け渡しが促進されると共に、受け渡し磁極Ｎ１２と第２の受け取り磁極Ｎ２１との間では、現像剤の受け渡しが制限される。
なお、第１の現像ロール２１の表面に移動した現像剤は、第１の受け取り磁極Ｓ２１と第２の受け取り磁極Ｎ２１との間に形成される磁界４４で、第１の現像ロール２１に保持される。すなわち、実施例１の第１の現像ロール２１では、受け取り磁極Ｓ２１，Ｎ２１間の磁界で保持可能な現像剤が第１の現像ロール２１に吸着されることとなる。よって、従来の構成では、第１の現像ロール０１やトリマー０６の設置誤差等で隙間の広さがばらつく恐れがあり、第１の現像ロール０１の表面に保持される現像剤の量が変動する恐れがあったが、実施例１の現像装置Ｇでは、磁界で保持可能な現像剤の量が第１の現像ロール２１に保持される。よって、第１の現像ロール２１の表面に保持される現像剤の量が安定しやすくなっている。
【００５１】
また、実施例１の現像装置Ｇでは、第２の現像ロール２２から第１の現像ロール２１に現像剤が受け渡される領域に、現像剤の受け渡しが促進されるだけでなく現像剤の受け渡しが制限される磁界も存在している。したがって、現像剤が受け渡される領域では、受け渡しが制限される磁界が、現像剤を保持することを抑制することとなり、現像剤の滞留が抑制される。したがって、従来の構成に比べて、現像剤の滞留に伴うストレスが低減される。
【００５２】
特に、実施例１では、第１の現像ロール２１の回転方向に対して、上流側に第１の受け取り磁極Ｓ２１が配置され、下流側に第２の受け取り磁極Ｎ２１が配置されている。したがって、上流側で現像剤の受け渡しが促進された後、下流側で現像剤の受け渡しが制限される。したがって、第１の現像ロール２１の回転方向の下流側では、トリマー０６を配置しなくても、現像剤の受け渡しを制限する磁界が、トリマー０６と同様に、現像ロール２１，２２間での現像剤の移動を抑制する。また、実施例１の現像装置Ｇでは、上流側の引きつけあう磁界で現像剤の移動が行われた後で、下流側の反発する磁界で現像剤の分割、振り分けが確実に行われやすくなっている。
したがって、トリマー０６を使用して物理的に現像剤の層を振り分ける構成に比べて、現像剤にかかるストレスが低減された状態で現像剤が安定して振り分けられる。よって、従来の構成に比べて、現像剤の劣化を抑制可能且つ安定した振り分けが可能になっている。
【００５３】
さらに、実施例１の現像装置Ｇでは、第１の現像領域Ｑ２ａにおいて、感光体ドラムＰＲに対してagainst方向に回転する第１の現像ロール２１に、２つの磁極Ｓ２１，Ｎ２１が配置されている。ここで、against方向に回転する第１の現像ロール２１では、第１の現像領域Ｑ２ａにおいて、with方向に回転する第２の現像ロール２２に比べて、感光体ドラムＰＲの表面との相対速度が速くなる。したがって、第１の現像領域Ｑ２ａでは、感光体ドラムＰＲや第１の現像ロール２１が高速化するに連れて、現像条件が厳しくなる。よって、第２の現像ロール２２に比べて、第１の現像ロール２１の表面に保持された現像剤の量が変動すると、画質に影響が出やすくなる。
ここで、現像剤が受け渡される領域において、２つの磁極Ｓ２１，Ｎ２１が配置されている側と、１つの磁極Ｎ１２が配置されている側とでは、２つの磁極Ｓ２１，Ｎ２１が配置されている側の方が、２つの磁極Ｓ２１，Ｎ２１間での磁界で現像剤の量が安定しやすい。そして、実施例１の現像装置Ｇでは、against方向に回転する第１の現像ロール２１に、２つの磁極Ｓ２１，Ｎ２１が配置されており、第１の現像ロール２１の表面に保持される現像剤の量が安定しやすく、高速回転や高画質化に対応可能である。
【００５４】
また、実施例１の現像装置Ｇでは、第１の受け取り磁極Ｓ２１は、第１の現像スリーブ２１ｂと第２の現像スリーブ２２ｂの最近接位置４１に対して、上流側にずれた位置に配置されている。したがって、従来の構成に比べて、第１の受け取り磁極Ｓ２１と受け渡し磁極Ｎ１２との間の磁界４２が、最近接位置４１に差し掛かりにくくなっている。現像ロール０１，０２の偏心や曲率等が存在すると、最近接位置４１では、隙間が広くなったり狭くなることの影響を受けやすくなる。したがって、従来の構成のように、最近接位置４１に受け渡される磁界を発生させると、受け渡される現像剤の量が変動しやすくなる。これに対して、実施例１の現像装置Ｇでは、最近接位置４１に差し掛かる磁界４２が少なくなり、現像ロール２１，２２の曲率等の影響を受けることが少なくなる。よって、受け渡される現像剤の量を安定化することが可能である。
【００５５】
図５は、第１の現像部材、第２の現像部材および像保持体の間の磁界の説明図であり、図５Ａは実施例１の構成における磁界の説明図であり、図５Ｂは従来の構成における磁界の説明図である。
また、実施例１の構成では、図５Ａにおいて、第１の現像領域Ｑ２ａにおいて、第１の現像磁極Ｓ２２に対応する位置に搬送された第１の現像スリーブ２１ｂの現像剤のうち、磁性を有するキャリアが第１の現像磁極Ｓ２２が形成する磁力線に沿って並んだ状態となる。いわゆる、キャリアが穂立ちされる。そして、穂立ちしたキャリアは、プラスの極性に帯電している。よって、穂立ちしたキャリアに、マイナス極性に帯電したトナーが吸着される。
第１の現像ロール２１には、現像電圧が印加されている。また、感光体ドラムＰＲの表面には、図１に示すように、潜像書込位置Ｑ１において、前記レーザビームＬが照射された露光部と、レーザビームＬが非照射の非露光部とが設けられている。帯電したトナーは、現像電圧と、露光部および非露光部との電位差に応じて、感光体ドラムＰＲの表面の露光部にトナーが移動する。よって、潜像が可視像に現像される。
【００５６】
図５Ｂに示すように、従来の構成の第１の現像ロール０２１では、受け取り磁極Ｎ０４１と、第１の現像領域０１２との間の位置に、搬送磁極が配置されていない。よって、第１の現像磁極Ｓ０２２は、第２の現像ロール０２２に配置された第２の現像磁極Ｎ０３１とは逆極性の磁極により構成される。したがって、第１の現像磁極Ｓ０２２と第２の現像磁極Ｎ０３１との２極間で、磁界０３１が発生する。
ここで、複写機Ｕの小型化に伴い、現像装置Ｇを小型化すると、現像装置Ｇの小型化に応じて、現像ロール０２１，０２２どうしの間の距離が短くなる。よって、第１の現像磁極Ｓ０２２と第２の現像磁極Ｎ０３１との距離が短くなる。そして、第１の現像磁極Ｓ０２２と第２の現像磁極Ｎ０３１との距離が短くなるに連れて、磁界０３１の磁力が強くなる。
【００５７】
また、第１の現像スリーブ０２１ｂの回転に伴い、第１の現像スリーブ０２１ｂ表面の現像剤は、第１の現像磁極Ｓ０２２に対応する位置に搬送される。
第１の現像スリーブ０２１ｂの表面には、第１の現像磁極Ｓ０２２に対応する位置に、第１の現像磁極Ｓ０２２が形成する磁力線に沿って、現像剤が穂立ちされる。感光体ドラム０１１の表面には、穂立ちした現像剤が接触する場合がある。したがって、穂立ちした現像剤の一部が、感光体ドラム０１１の表面に接触して、第１の現像領域０１２を現像剤が通過できない場合がある。
通過できなかった現像剤は、第１の現像領域０１２に対して、第１の現像スリーブ０２１ｂの回転方向上流側、すなわち、感光体ドラム０１１と２つの現像ロール０２１，０２２に囲まれた領域０３７で滞留する。領域０３７に滞留する現像剤は、領域０３７に形成される磁界０３１に保持される恐れがある。磁界０３１に現像剤が保持されてしまうと、現像剤が第１の現像領域０１２に搬送され難くなる。
【００５８】
よって、現像剤が領域０３７に長時間滞留し易くなる。現像剤が滞留すると、自然放電等で帯電電荷が減少して、現像能力が低下する。よって、現像能力が低下した現像剤が第１の現像領域０１２に搬送されると、現像される画像の濃度が低下する。また、感光体ドラム０１１の表面は、第１の現像領域０１２で現像された後に、領域０３７を通過する。よって、磁界０３１で保持された現像剤が滞留していると、可視像が、滞留する現像剤で掻き取られてしまう恐れがある。よって、感光体ドラム０１１の表面の可視像の濃度の低下が発生したり、現像された可視像に欠陥が生じてしまう恐れがあった。
【００５９】
これに対して、図５Ａに示すように、実施例１の第１の現像ロール２１では、第１の現像磁極Ｓ２２は、第２の現像ロール２２に配置された第２の現像磁極Ｓ１２と同極性の磁極により構成されている。したがって、第１の現像磁極Ｓ２２と第２の現像磁極Ｓ１２との間で、反発する磁界５２が形成される。よって、第１の現像領域Ｑ２ａを通過できない現像剤が発生しても、感光体ドラムＰＲおよび各現像ロール２１，２２に囲まれた領域３７において、磁界に現像剤が保持されない。
よって、領域０３７で磁界０３１に現像剤が保持される従来の現像装置の構成に比べて、実施例１の現像装置Ｇの構成では、領域３７において磁界に現像剤が保持されずに、領域３７で現像剤が滞留し難い。よって、現像能力が劣化する前に現像剤が第１の現像領域Ｑ２ａに搬送され易い。
したがって、従来の現像装置の構成に比べて、実施例１の現像装置Ｇの構成では、可視像の濃度低下や、欠陥の発生が低減される。よって、シートＳに形成される画質の低下が低減される。
【００６０】
また、実施例１の構成では、図５Ａに示すように、第１の磁石ロール２１ａには、第１の現像ロール２１と感光体ドラムＰＲとの最近接位置に対して、第１の現像スリーブ２１ｂの回転方向上流側に傾斜角度αずれた位置に、第１の現像磁極Ｓ２２が配置されている。
したがって、第１の現像ロール２１と感光体ドラムＰＲとの最近接位置に対して、第１の現像スリーブ２１ｂの回転方向上流側に傾斜角度αずれた位置で、第１の現像磁極Ｓ２２の磁力線に沿って、現像剤が穂立ちされる。
【００６１】
従来の構成では、第１の現像ロール０２１には、図５Ｂに示すように、第１の現像ロール０２１と感光体ドラム０１１との最近接位置に対応する位置に、第１の現像磁極Ｓ０２２が配置されている。したがって、第１の磁石スリーブ０２１ｂの表面には、第１の現像ロール０２１と感光体ドラム０１１との最近接位置に対応する位置に、第１の現像ロール０２１の中心０２１ｃと感光体ドラム０１１の回転中心０１１ａとを結ぶ磁力線０５１に沿って、現像剤が穂立ちされる。
すなわち、従来の構成では、第１の現像スリーブ０２１ｂの表面と感光体ドラム０１１の表面との間の領域のうち、隙間が最も狭い最近接位置で現像剤が穂立ちされる。また、現像剤の層厚が局所的に厚くなる。よって、感光体ドラム０１１の表面に穂立ちした現像剤が接触する場合、接触した際の接触圧が過大になる場合がある。そして、穂立ちした現像剤の接触圧が過大の場合、穂立ちした現像剤が感光体ドラム０１１の表面の可視像を掻き取る恐れがあった。
【００６２】
これに対して、実施例１の構成では、第１の現像ロール２１と感光体ドラムＰＲとの最近接位置に対して、第１の現像スリーブ２１ｂの回転方向上流側に傾斜角度αずれた位置で、現像剤が穂立ちされる。
したがって、第１の現像スリーブ２１ｂに対する感光体ドラムＰＲの表面の最近接位置では、現像剤は、磁力線に沿って、少し倒れた状態となる。よって、感光体ドラムＰＲの表面に穂立ちした現像剤が接触した際の接触圧が過大になることが低減される。
よって、最近接位置に第１の現像磁極Ｓ０２２が配置される従来の構成に比べて、実施例１の構成では、穂立ちした現像剤が感光体ドラムＰＲの表面の可視像を掻き取る恐れが低減される。したがって、従来の構成に比べて、実施例１の構成では、可視像の欠陥が低減される。
【００６３】
また、従来の構成では、第１の現像スリーブ０２１ｂに対する感光体ドラム０１１の表面の最近接位置で現像剤が穂立ちされている。したがって、感光体ドラム０１１の表面の潜像を現像可能な領域は最近接位置の近傍のみであった。よって、感光体ドラム０１１や第１の現像スリーブ０２１ｂの回転速度が高速になると、現像不良が発生する恐れがある。特に、現像スリーブ０２１ｂと感光体ドラム０１１の回転方向がagainstの構成では、現像スリーブ０２１ｂと感光体ドラム０１１の回転方向がwithの構成に比べて、最近接位置における第１の現像スリーブ０２１ｂと感光体ドラム０１１との相対速度が大きい。よって、現像不良がさらに発生し易くなっている。
【００６４】
これに対して、実施例１の構成では、第１の現像スリーブ２１ｂと感光体ドラムＰＲとの最近接位置に対して、感光体ドラムＰＲの回転方向の下流側において、現像剤の穂が立った状態となる。したがって、最近接位置だけではなく、感光体ドラムＰＲの回転方向の下流側でも現像が可能になっている。すなわち、実施例１の構成では、最近接位置から感光体ドラムＰＲの回転方向の下流側に向けて現像可能な領域が広がっている。
したがって、最近接位置に第１の現像磁極Ｓ０２２が配置される従来の構成に比べて、実施例１の構成では、感光体ドラムＰＲの表面の潜像を現像可能な領域の幅が広がっている。よって、従来の構成に比べて、実施例１の構成では、潜像の現像不良の低減が可能であり、シートＳに形成される画質の低下を低減することが可能である。
【００６５】
特に、実施例１では、第１の現像磁極Ｓ２２に対応する位置において、法線方向に穂立ちする高さの設定値以上に、感光体ドラムＰＲの表面と現像スリーブ２１ｂの表面との間隔を設定することが好ましい。穂立ちの高さの設定値と、感光体ドラムＰＲの表面と現像スリーブ２１ｂの表面との間隔とが一致する場合、最近接位置よりも感光体ドラムＰＲの回転方向の下流側である第１の現像磁極Ｓ２２の位置で、現像剤の穂立ちの先端が感光体ドラムＰＲの表面に接触し、且つ、感光体ドラムＰＲの表面に接触圧がほとんど作用しない。
また、この場合、最近接位置では、現像剤の穂立ちが少し倒れた状態で、穂立ちの先端部が感光体ドラムＰＲの表面に接触する。よって、最近接位置でも第１の現状磁極Ｓ２２に対応する位置でも現像可能である。したがって、前述のように、最近接位置における接触圧が過大になることを抑制しつつ、現像可能な領域の幅を拡大可能である。
【００６６】
また、最近接位置で穂立つ従来の構成では、最近接位置で穂立った現像剤に感光体ドラム０１１の表面の可視像が掻き取られてしまった場合、掻き取られた可視像の箇所が再び現像され難い。したがって、感光体ドラム０１１の表面の可視像に欠陥が発生してしまう恐れがあった。
これに対して、実施例１の構成では、最近接位置の近傍で、感光体ドラムＰＲの表面の可視像が掻き取られたとしても、現像可能な領域が幅を有しており、最近接位置よりも感光体ドラムＰＲの回転方向下流側でも現像可能である。よって、実施例１の現像装置Ｇでは、可視像が掻き取られた箇所が再び現像され易い。
【００６７】
したがって、従来の構成に比べて、実施例１の構成では、感光体ドラムＰＲの表面の可視像に欠陥が生じることを低減することが可能である。よって、シートＳに形成される画質の低下を低減することが可能である。
なお、実施例１の構成では、傾斜角度αは、感光体ドラムＰＲの表面の可視像を穂立ちした現像剤が掻き取る恐れを低減するためには、＋８°より大きいことが望ましい。また、傾斜角度αは、第１の現像スリーブ２１ｂと感光体ドラムＰＲとの最近接位置で、現像剤の穂立ちが倒れ過ぎて現像不良が発生する恐れを低減するためには、＋２０°より小さいことが望ましい。
【００６８】
また、従来の構成では、最近接位置において、現像剤が密集して、互いに押し合う場合がある。よって、押された現像剤が、第１の現像スリーブ０２１ｂの表面から脱落して下方に落下する恐れがある。第１の現像スリーブ０２１ｂから現像剤が落下すると、下方に配置された第２の現像スリーブ２２ｂの表面に現像剤が落下する恐れがある。したがって、第２の現像ロール０２１ｂの表面の現像剤の量が変化し、現像不良が発生する恐れがあった。
【００６９】
これに対して、実施例１の構成では、感光体ドラムＰＲとの最近接位置に対して、第１の現像スリーブ２１ｂの回転方向の上流側である下方に傾斜角度αだけずれた位置に、第１の現像磁極Ｓ２２が配置されている。実施例１では、最近接位置での圧力が抑制されているが、それでも現像剤が重力の影響で下方に落下しようとしても、第１の現像磁極Ｓ２２に対応する位置で穂立った現像剤に到達するまでの間に、現像剤が捕捉され易い。よって、最近接位置で現像剤が穂立つ従来の構成に比べて、実施例１の構成では、第１の現像スリーブ２１ｂから第２の現像ロール２２に落下する現像剤の量が低減されることが期待され、現像不良の発生が低減される。
【００７０】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ011）を下記に例示する。
（Ｈ01）前記各実施例において、画像形成装置の一例として複写機Ｕを例示したが、これに限定されない。例えば、画像形成装置の一例としてのプリンタ、ＦＡＸ、あるいはこれら複数の機能を備えた複合機等に適用可能である。また、単色の画像形成装置に限定されず、多色の画像形成装置にも適用可能である。
【００７１】
（Ｈ02）前記実施例において、２本の現像部材を使用する構成を例示したが、これに限定されない。例えば、３本以上の現像部材を有する構成とすることも可能である。このとき、少なくとも、隣り合う一組の現像部材の現像磁極が、同極性の磁極で構成されていれば、隣り合う同極性の現像磁極の間では、磁界が発生しない。よって、隣り合う現像部材の現像磁極がすべて逆極性の従来の現像装置に比べて、現像装置Ｇ全体として、現像剤の滞留が発生する場所を低減することが可能である。
（Ｈ03）前記実施例において、１つの受け渡し磁極Ｎ１２に対して、２つの受け取り磁極Ｓ２１，Ｎ２１を配置する構成が望ましいが、受け渡し磁極Ｎ１２に対して、逆極性の受け取り磁極Ｓ２１のみを配置する構成も可能である。
（Ｈ04）前記実施例において、受け渡し領域において、１つの磁極Ｎ１２をwith側の現像ロール２２に配置し、２つの磁極Ｓ２１、Ｎ２１をagainst側の現像ロール２１に配置することが望ましいが、組み合わせを逆にすることも可能である。
【００７２】
（Ｈ05）前記実施例において、受け取り磁極Ｓ２１，Ｎ２１のうち、受け渡し磁極Ｎ１２と逆極性の磁極Ｓ２１を上流側に配置し、同極性の磁極Ｎ２１を下流側に配置することが望ましいが、逆極性の磁極Ｓ２１を下流側に配置し、且つ、同極性の磁極Ｎ２１を上流側に配置することも可能である。
（Ｈ06）前記実施例において、像保持体の一例としてのドラム形状の感光体ドラムＰＲを例示したが、これに限定されず、例えば、ベルト形状等の像保持体の構成も可能である。
（Ｈ07）前記実施例において、アドミクス室２やサプライ室３、貯留室１３、オーガ１６，１７やパドル１８の構成は、実施例に例示した構成に限定されない。例えば、貯留室１３からアドミクス室２に現像剤を流入させる構成としたり、パドル１８をオーガ１６，１７と同様の構成としたり等、任意の変更が可能である。
【００７３】
（Ｈ08）前記実施例において、従来技術と同様のトリマーを配置しない構成とすることが望ましいが、本願発明に対して、補助的に付加する部材として、振り分けの補助部材の一例としてのトリマーを設置することも可能である。
（Ｈ09）前記実施例において、Ｎ，Ｓ等の極性や磁極の位置、数等に関しては、実施例に例示した構成に限定されない。設計や仕様等に応じて、任意に変更可能である。
（Ｈ010）前記実施例において、第２の現像ロール２２の上方に第１の現像ロール２１を配置する構成が望ましいが、これに限定されない。例えば、第１の現像ロール２１と第２の現像ロール２２とが、上下方向同じ高さで左右方向に並んで配置される構成も可能である。
【００７４】
（Ｈ011）前記実施例において、第２の現像領域Ｑ２ｂで、感光体ドラムＰＲに対して、第１の現像スリーブ２１ｂがagainst方向に回転し、且つ、第２の現像スリーブ２２ｂがwith方向に回転する構成を例示したが、これに限定されない。例えば、第１の現像スリーブ２１ｂの回転方向と第２の現像スリーブ２２ｂの回転方向とを逆にする構成や、感光体ドラムＰＲに対して、各現像スリーブ２１ｂ，２２ｂが共に、against方向やwith方向に回転する構成も可能である。
【符号の説明】
【００７５】
２１…第１の現像部材、
２１ａ…第１の磁石部材、
２１ｂ…第１の回転部材、
２１ｃ…回転中心
２２…第２の現像部材、
５１…仮想線分、
Ｆ…定着装置、
Ｇ…現像装置、
Ｎ２２…磁極、
ＰＲ…像保持体、
ＰＲａ…回転中心、
Ｑ２ａ…第１の現像領域、
Ｑ２ｂ…第２の現像領域、
Ｓ…媒体、
Ｓ１２…第２の磁極、
Ｓ２２…第１の磁極、
ＴＲ…転写装置、
Ｕ…画像形成装置。
【図１】
2014160151.tif 000003
【図２】
2014160151.tif 000004
【図３】
2014160151.tif 000005
【図４】
2014160151.tif 000006
【図５】
2014160151.tif 000007